(57)【要約】【課題】巻き上げ機から発生する騒音を抑制する【解決手段】本実施形態に係る架台は、昇降路を昇降するかごを昇降させるためのモータが載置される架台であって、水平に支持されるベース板と、ベース板の上面に配置され、モータをベース板に対して支持する支持部材と、モータの回転軸と平行に配置され、モータを介して対向する一組の側板と、ベース板とモータとの間に設けられる第１吸音材と、側板のモータに対向する面に設けられる第２吸音材と、を有する。【選択図】図２
2017019572.tif 000002
【特許請求の範囲】
【請求項１】
昇降路を昇降するかごを昇降させるためのモータが載置される架台であって、
水平に支持されるベース板と、
前記ベース板の上面に配置され、前記モータを前記ベース板に対して支持する支持部材と、
前記モータの回転軸と平行に配置され、前記モータを介して対向する一組の側板と、
前記ベース板と前記モータとの間に設けられる第１吸音材と、
前記側板の前記モータに対向する面に設けられる第２吸音材と、
を有する架台。
【請求項２】
前記支持部材は、前記回転軸に平行で、相互に離間して配置される１組の第１部材を有し、
前記第１吸音材は、前記第１部材の間に配置される請求項１に記載の架台。
【請求項３】
前記支持部材は、前記回転軸に垂直で、相互に離間して配置される１組の第２部材を有し、
前記第１吸音材は、前記第２部材の間に配置される請求項１又は２に記載の架台。
【請求項４】
前記側板は、前記ベース板に溶接されている請求項１乃至３のいずれか一項に記載の架台。
【請求項５】
昇降路を昇降するかごと、
前記かごに固定されるワイヤが、回転軸に巻き回されるモータと、
前記モータが載置される請求項１乃至４のいずれか一項に記載の架台と、
を備えるエレベータ装置。
【発明の詳細な説明】
【技術分野】
【０００１】
本発明の実施形態は、架台及びエレベータ装置に関する。
【背景技術】
【０００２】
エレベータ装置には、静かで、エネルギー消費量が少ないギアレスモータが、巻き上げ機として用いられる。巻き上げ機や、制御装置などは、昇降路の上方に設けられた機械室に配置されるのが一般的である。しかしながら、近年では、モータの小型化などに伴い、機械室のないエレベータ装置が登場するに至っている。この種のエレベータ装置では、昇降路の内部にモータが配置される。そのため、モータからの騒音が、エレベータ装置のかご室に伝わるのを防ぐための措置が必要になる。
【０００３】
モータからの騒音は、モータ本体の振動数と、モータを構成するケーシングの固有振動数とが一致することによって生じる共振に起因するものなどが考えられる。この種の騒音は、例えばケーシングの剛性を向上させることにより、ある程度抑制することができる。しかしながら、ケーシングの剛性を向上させたとしても、モータの回転子が回転することにより発生する騒音は、かご室や昇降路の外部に伝わってしまう。
【先行技術文献】
【特許文献】
【０００４】
【特許文献１】特開平０９−１５６８５３号公報
【発明の概要】
【発明が解決しようとする課題】
【０００５】
本発明は、巻き上げ機から発生する騒音を抑制することを課題とする。
【課題を解決するための手段】
【０００６】
上記課題を解決するため、本実施形態に係る架台は、昇降路を昇降するかごを昇降させるためのモータが載置される架台であって、水平に支持されるベース板と、ベース板の上面に配置され、モータをベース板に対して支持する支持部材と、モータの回転軸と平行に配置され、モータを介して対向する一組の側板と、ベース板とモータとの間に設けられる第１吸音材と、側板のモータに対向する面に設けられる第２吸音材と、を有する。
【図面の簡単な説明】
【０００７】
【図１】本実施形態に係るエレベータ装置の斜視図である。
【図２】昇降モータと架台の展開斜視図である。
【図３】架台の展開斜視図である。
【図４】昇降モータが載置された架台の斜視図である。
【発明を実施するための形態】
【０００８】
以下、本実施形態を、図面を用いて説明する。説明には、適宜、相互に直交するＸ軸、Ｙ軸、Ｚ軸からなるＸＹＺ座標系を用いる。
【０００９】
図１は、本実施形態に係るエレベータ装置１０の斜視図である。エレベータ装置１０は、マンションやビルなどの建造物に設けられた昇降路１００の内部に配置されている。図１に示されるように、エレベータ装置１０は、かご３１、カウンタウエイト３２、昇降モータ４０、ガイドレール２１，２２，２３、エレベータ装置１０の制御系が収容される制御盤７０を有している。
【００１０】
ガイドレール２１，２２，２３それぞれは、長手方向をＺ軸方向とする部材である。ガイドレール２１とガイドレール２２は、Ｘ軸方向に離間して配置されている。また、ガイドレール２３は、ガイドレール２２からＹ軸方向に離間して配置されている。
【００１１】
かご３１は、乗客を収容して昇降路を昇降するユニットである。かご３１は、ガイドレール２１，２２の間に配置され、ガイドレール２１，２２に対して、上下方向に移動可能に取り付けられている。かご３１の−Ｙ側の面には、内部空間に出入りするための扉（不図示）が設けられている。
【００１２】
カウンタウエイト３２は、ガイドレール２２，２３に対して、上下方向に移動可能に取り付けられている。カウンタウエイト３２の重量は、かご３１の重量に対して所定の割合になるように調整されている。
【００１３】
昇降モータ４０は、かご３１を昇降させるためのモータである。昇降モータ４０は、昇降路１００の上部に、回転軸がＹ軸に平行になるように配置されている。この昇降モータ４０は、架台５０によって支持されている。
【００１４】
図２は、昇降モータ４０と架台５０の展開斜視図である。昇降モータ４０は、Ｙ軸方向を長手方向とする回転軸４１ａと、回転軸４１ａを回転させるための駆動部４１を有している。回転軸４１ａは、円柱状の部材であり、−Ｙ側端部には、プーリー４２が固定されている。また、駆動部４１は、回転子、固定子、及びこれらを収容するハウジングなどからなる。
【００１５】
図３は、架台５０の展開斜視図である。図３に示されるように、架台５０は、ベース部材５１、１組の側板５２、支持部材５３、及び吸音材５３０を有している。
【００１６】
ベース部材５１は、長手方向をＹ軸方向とする板状の部材である。ベース部材５１は、例えば、鉄などの金属からなり、厚さは２５ｍｍ程度である。
【００１７】
側板５２は、長手方向をＹ軸方向とする板状の部材である。側板５２は、ベース部材５１に比較して、Ｙ軸方向の大きさが少し短くなるように整形されている。側板５２は、相互に対向する面に、吸音シート５２０が貼り付けられている。吸音シート５２０は、例えば発砲ウレタンやグラスウールなどを素材とする。
【００１８】
支持部材５３は、長手方向をＹ軸方向とし、中央に長方形の開口５３ａが形成されたフレーム状の部材である。支持部材５３のＹ軸方向の長さは、側板５２の長さとほぼ等しい。支持部材５３は、例えば鉄などの金属からなる４つの棒状部材５４〜５７から構成されている。棒状部材５４，５５は、長手方向をＹ軸方向とする部材である。また、棒状部材５６，５７は、長手方向をＸ軸方向とする部材である。棒状部材５４，５５の長さは、側板５２の長さに等しい。
【００１９】
上記棒状部材５４〜５７は、棒状部材５６の両端部が、棒状部材５４，５５の＋Ｙ側端部に溶接され、棒状部材５７の両端部が、棒状部材５４，５５の−Ｙ側端部に溶接されることで、一体化されている。
【００２０】
吸音材５３０は、長手方向をＹ軸方向とする板状の部材である。吸音材５３０は、例えば発砲ウレタンやグラスウールなどを素材とする。吸音材５３０は、支持部材５３に形成された開口５３ａと同じ大きさになるように整形されている。
【００２１】
ベース部材５１、側板５２、支持部材５３、及び吸音材５３０は、ベース部材５１上面に支持部材５３が溶接され、ベース部材５１の上面外縁に沿って側板５２が溶接されることで一体化される。そして、側板５２に吸音シート５２０が接着され、支持部材５３の開口５３ａの内部に吸音材５３０が配置されることで、図２に示される架台５０が完成する。架台５０は、図１に示されるように、長手方向がＹ軸に平行になるように、不図示の支持材によって支持される。
【００２２】
昇降モータ４０を架台５０に載置する際には、例えば図２を参照するとわかるように、昇降モータ４０を、クレーンなどによって吊り上げて、架台５０を構成する側板５２の間から支持部材５３の上面に降ろす。そして、支持部材５３に対して昇降モータ４０を、例えばボルトなどによって固定する。これにより、図４に示されるように、昇降モータ４０が架台５０に取り付けられた状態になる。
【００２３】
昇降モータ４０が架台５０に取り付けられたときには、昇降モータ４０の回転軸４１ａに取り付けられたプーリー４２が、架台５０から−Ｙ方向へ突出し、昇降モータ４０の下面に吸音材５３０が対向するとともに、昇降モータ４０の側面に、吸音シート５２０が対向した状態になっている。
【００２４】
図１に示されるように、昇降モータ４０のプーリー４２には、ワイヤ６０が巻き回されている。ワイヤ６０は、一端が、かご３１に固定され、他端が、カウンタウエイト３２に固定されている。
【００２５】
制御盤７０には、昇降モータ４０や、かご３１に設けられた機器を制御するための制御装置が収容されている。制御装置が、昇降モータ４０を正転させると、かご３１が上昇するとともに、カウンタウエイトが下降する。また、制御装置が、昇降モータ４０を逆転させると、かご３１が下降するとともに、カウンタウエイトが上昇する。
【００２６】
以上説明したように、本実施形態に係るエレベータ装置１０では、架台５０に載置された昇降モータ４０の下面がベース部材５１の上面に配置される吸音材５３０に対向し、昇降モータ４０の側面が側板５２に貼り付けられた吸音シート５２０に対向した状態になる。このため、昇降モータ４０から発生し、水平方向や下方に伝播される騒音は、吸音材５３０や吸音シート５２０によって減衰する。このため、かご３１の内部に伝わる騒音が軽減される。
【００２７】
また、本実施形態では、ベース部材５１の上面に、昇降モータ４０を支持する支持部材５３が別途設けられている。この支持部材５３によって、ベース部材５１が補強されるので、ベース部材５１を薄くすることが可能となる。
【００２８】
以上、本発明の実施形態について説明したが、本発明は上記実施形態によって限定されるものではない。例えば、上記実施形態では、ベース部材５１に側板５２を溶接することとした。これに限らず、ベース部材５１と側板５２を一体的に形成することとしてもよい。
【００２９】
上記実施形態では、支持部材５３は、金属からなる４つの棒状部材５４〜５７から構成されている場合について説明した。これに限らず、支持部材５３は、１つの材料から一体的に形成されていてもよい。
【００３０】
上記実施形態では、吸音材５３０及び吸音シート５２０が発砲ウレタンやグラスウールである場合について説明した。吸音材５３０の素材は、これに限られるものではない。昇降モータ４０から発生する騒音の周波数は、概ね６００Ｈｚ程度である。このため、６００Ｈｚの騒音を効率的に吸音する素材を選択して用いることができる。この種の素材としては、発砲ウレタンやグラスウールなど複数の素材からなる複合材であってもよい。
【００３１】
本発明のいくつかの実施形態を説明したが、これらの実施形態は、例として提示したものであり、発明の範囲を限定することは意図していない。これら新規な実施形態は、その他の様々な形態で実施しうるものであり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００３２】
１０  エレベータ装置
２１〜２３  ガイドレール
３２  カウンタウエイト
４０  昇降モータ
４１  駆動部
４１ａ  回転軸
４２  プーリー
５０  架台
５１  ベース部材
５２  側板
５３  支持部材
５３ａ  開口
５４〜５７  棒状部材
６０  ワイヤ
７０  制御盤
１００  昇降路
５２０  吸音シート
５３０  吸音材
【図１】
2017019572.tif 000003
【図２】
2017019572.tif 000004
【図３】
2017019572.tif 000005
【図４】
2017019572.tif 000006
【手続補正書】
【提出日】平成28年7月27日(2016.7.27)
【手続補正１】
【補正対象書類名】明細書
【補正対象項目名】０００６
【補正方法】変更
【補正の内容】
【０００６】
上記課題を解決するため、本実施形態に係る架台は、昇降路を昇降するかごを昇降させるためのモータが載置される架台であって、水平に支持されるベース板と、ベース板の上面に配置され、モータをベース板に対して支持する支持部材と、モータの回転軸と平行に配置され、モータを介して対向する一組の側板と、ベース板とモータとの間に設けられる第１吸音材と、側板のモータに対向する面に設けられる第２吸音材と、を備え、前記支持部材は、前記回転軸に平行で、相互に離間して配置される１組の第１部材を有し、前記第１吸音材は、前記第１部材の間に配置される。
【手続補正２】
【補正対象書類名】特許請求の範囲
【補正対象項目名】全文
【補正方法】変更
【補正の内容】
【特許請求の範囲】
【請求項１】
昇降路を昇降するかごを昇降させるためのモータが載置される架台であって、
水平に支持されるベース板と、
前記ベース板の上面に配置され、前記モータを前記ベース板に対して支持する支持部材と、
前記モータの回転軸と平行に配置され、前記モータを介して対向する一組の側板と、
前記ベース板と前記モータとの間に設けられる第１吸音材と、
前記側板の前記モータに対向する面に設けられる第２吸音材と、
を備え、
前記支持部材は、前記回転軸に平行で、相互に離間して配置される１組の第１部材を有し、
前記第１吸音材は、前記第１部材の間に配置される架台。
【請求項２】
前記支持部材は、前記回転軸に垂直で、相互に離間して配置される１組の第２部材を有し、
前記第１吸音材は、前記第２部材の間に配置される請求項１に記載の架台。
【請求項３】
昇降路を昇降するかごを昇降させるためのモータが載置される架台であって、
水平に支持されるベース板と、
前記ベース板の上面に配置され、前記モータを前記ベース板に対して支持する支持部材と、
前記モータの回転軸と平行に配置され、前記モータを介して対向する一組の側板と、
前記ベース板と前記モータとの間に設けられる第１吸音材と、
前記側板の前記モータに対向する面に設けられる第２吸音材と、
を備え、
前記支持部材は、前記回転軸に垂直で、相互に離間して配置される１組の第２部材を有し、
前記第１吸音材は、前記第２部材の間に配置される架台。
【請求項４】
前記側板は、前記ベース板に溶接されている請求項１乃至３のいずれか一項に記載の架台。
【請求項５】
昇降路を昇降するかごと、
前記かごに固定されるワイヤが、回転軸に巻き回されるモータと、
前記モータが載置される請求項１乃至４のいずれか一項に記載の架台と、
を備えるエレベータ装置。